(57)【要約】【課題】  屋根パネルを設置したときに、意匠性を損なうことなく雨水を地表に円滑に導くことができるパーゴラの主構造体を提供することを課題とする。【解決手段】  水平に延在する一対の梁材３と、梁材３の前端部に固定した桁材４と、桁材４を支持する複数本の支柱５とを備え、外壁Ｗおよび桁材４間に屋根パネル１１を設置可能に構成したパーゴラ１Ａの主構造材２Ａにおいて、桁材４は、その上部に屋根パネル１１の前端部を支持可能に構成した支持板部２６と、屋根パネル１１からの雨水を受けると共に支持板部２６により１の面を構成した桁内樋部２９とを有し、各梁材３は、桁内樋部２９からの雨水を受けると共に桁内樋部２９より低い位置に配設した梁内樋部４７と、後端部に設けられ梁内樋部４７を縦樋１３に接続するための縦樋接続口４８と、を有している。【選択図】  図４
2005232733.tif 000002
【特許請求の範囲】
【請求項１】
後端部を建物の外壁に支持され前方に水平に延在する一対の梁材と、前記一対の梁材の前端部に固定した桁材と、前記桁材を支持する複数本の支柱とを備え、
外壁および前記桁材間に屋根パネルを設置可能に構成したパーゴラの主構造体において、
前記桁材は、その上部に前記屋根パネルの前端部を支持可能に構成した支持板部と、前記屋根パネルからの雨水を受けると共に前記支持板部により１の面を構成した桁内樋部とを有し、
前記各梁材は、前記桁内樋部からの雨水を受けると共に前記桁内樋部より低い位置に配設した梁内樋部と、後端部に設けられ梁内樋部を縦樋に接続するための縦樋接続口とを有していることを特徴とするパーゴラの主構造体。
【請求項２】
前記桁内樋部の底面は、前記梁材に向かって下り傾斜に形成されていることを特徴とする請求項１に記載のパーゴラの主構造体。
【請求項３】
前記各梁材の後端部を外壁に固定するための梁材固定具を有し、
前記梁材固定具は、シーラーと、前記シーラーを介して前記梁材の後端面を閉止する止水板とを有していることを特徴とする請求項１または２に記載のパーゴラの主構造体。
【請求項４】
前記桁内樋部は、前記桁材の上板部と、前記上板部の前端部側から立ち上がった前立上げ板部と、前記上板部の後端部側から立ち上がった前記支持板部とで画成され、
前記前立上げ板部の上部には、内向きの掛止片部が屈曲形成され、
前記支持板部の上部には、内向き厚肉の固定片部が屈曲形成されていることを特徴とする請求項１ないし３のいずれかに記載のパーゴラの主構造体。
【請求項５】
前記桁材の上部は、前記屋根パネルの前端部を支持するための鼻隠し、前記桁内樋部を閉蓋するための桁カバー、トレリスを設置するための回り縁および桟の前端部を支持するための桟支持部材を、固定可能に構成されていることを特徴とする請求項１ないし４のいずれかに記載のパーゴラの主構造体。
【請求項６】
前記桁材と前記外壁との間に平行に且つ前記両梁材上に掛け渡した前枠を、更に備えると共に、前記外壁および前記前枠間にハーフ屋根パネルを設置可能に構成され、
前記前枠は、前記ハーフ屋根パネルの前端部を支持可能に構成した支持板部と、前記ハーフ屋根パネルからの雨水を受けると共に前記支持板部により１の面を構成した枠内樋部とを有し、
前記枠内樋部は、前記梁内樋部に連通していることを特徴とする請求項１ないし５のいずれかに記載のパーゴラの主構造体。
【請求項７】
請求項１ないし５のいずれかに記載のパーゴラの主構造体を備えたことを特徴とするパーゴラ。
【請求項８】
請求項６に記載のパーゴラの主構造体と、
前記ハーフ屋根パネルと、を備えたことを特徴とするパーゴラ。
【発明の詳細な説明】
【技術分野】
【０００１】
本発明は、後端部を建物の外壁に支持され前方に水平に延在する一対の梁材と、一対の梁材の前端部に固定した桁材と、前記桁材を支持する複数本の支柱とを備えパーゴラの主構造体およびこれを備えたパーゴラに関するものである。
【背景技術】
【０００２】
従来のこの種のパーゴラには、主構造体とこれに別体として設置した屋根体とで構成したものが知られている。この場合、主構造体は、後端部を建物の外壁に支持され前方に水平に延在する側枠（梁）と、側枠の前端部に固定した前枠（桁）と、前枠を支持する２本の支柱とを備えており、この前枠と建物の外壁との間に掛け渡すようにして屋根体が設置されている。
前枠、側枠および一方の支柱は、ほぼ同一の断面形状を有しており、相互に角度４５°の接合形態で組み上げられている。そして、前枠および側枠には、水平方向の略半部に横樋部が形成され、また一方支柱の略半部に縦樋部が形成され、これら横樋部および縦樋部は相互に連通している。
【特許文献１】特開２００３−３４３００９号公報
【発明の開示】
【発明が解決しようとする課題】
【０００３】
このような従来のパーゴラ（の主構造体）では、前枠の横樋と側枠の横樋とが、同一高さレベルとなるため、雨水の流れが悪く樋内に枯葉等のごみが溜まり易い問題があった。また、パーゴラはデッキ上やテラス上に設置されるため、支柱に設けた縦樋部に接続する縦樋の取り回しが煩雑となり、パーゴラの意匠性を損なう問題があった。
【０００４】
本発明は、屋根パネルを設置したときに、意匠性を損なうことなく雨水を地表に円滑に導くことができるパーゴラの主構造体およびこれを備えたパーゴラを提供することを課題としている。
【課題を解決するための手段】
【０００５】
本発明のパーゴラの主構造体は、後端部を建物の外壁に支持され前方に水平に延在する一対の梁材と、一対の梁材の前端部に固定した桁材と、桁材を支持する複数本の支柱とを備え、外壁および桁材間に屋根パネルを設置可能に構成したパーゴラの主構造材において、桁材は、その上部に屋根パネルの前端部を支持可能に構成した支持板部と、屋根パネルからの雨水を受けると共に支持板部により１の面を構成した桁内樋部とを有し、各梁材は、桁内樋部からの雨水を受けると共に桁内樋部より低い位置に配設した梁内樋部と、後端部に設けられ梁内樋部を縦樋に接続するための縦樋接続口と、を有していることを特徴とする。
【０００６】
この構成によれば、屋根パネルを設置したときに、屋根パネルの前端部は桁材の支持板部に支持され、また屋根パネルから流下する雨水は、桁材の桁内樋部に受けられ、各梁材の梁内樋部を流れて、梁材の後端部に設けた縦樋接続口から縦樋に導かれる。この場合、下流側に位置する梁内樋部は、桁内樋部より低い位置に配設されているため、雨水を桁内樋部から梁内樋部に円滑に流下させることができる。また、縦樋接続口が、梁材の後端部に設けられているため、これに接続する縦樋を建物の外壁に沿わせて設けることができ、縦樋によりパーゴラ自体の意匠性が損なわれることがない。さらに、屋根パネルを支持する桁材の支持板部を、桁内樋部の一部を構成する部材とているため、この部分の構造を単純化することができる。
【０００７】
この場合、桁内樋部の底面は、梁材に向かって下り傾斜に形成されていることが、好ましい。
【０００８】
この構成によれば、桁内樋部に受けた雨水を断面方向の一箇所に集水するようにして、下流側の梁内樋部に導くことができ、より一層、雨水の流れを円滑化することができる。
【０００９】
これらの場合、各梁材の後端部を外壁に固定するための梁材固定具を有し、梁材固定具は、シーラーと、シーラーを介して梁材の後端面を閉止する止水板とを有していることが、好ましい。
【００１０】
この構成によれば、梁材の後端面の止水と梁材の外壁への固定とを、単純な構造で達成することができる。また、縦樋接続口を、可能な限り梁材の後端面に近づけて、すなわち外壁に近づけて形成することができる。
【００１１】
これらの場合、桁内樋部は、桁材の上板部と、上板部の前端部側から立ち上がった前立上げ板部と、上板部の後端部側から立ち上がった支持板部とで画成され、前立上げ板部の上部には、内向きの掛止片部が屈曲形成され、支持板部の上部には、内向き厚肉の固定片部が屈曲形成されていることが、好ましい。
【００１２】
この構成によれば、桁内樋部の形成部材である前立上げ板部および支持板部により桁材の上部に、屋根パネル等のパーゴラ構成部材を簡単に取り付けることができる。また、桁内樋部廻りの構造を単純化することができる。
【００１３】
これらの場合、桁材の上部は、屋根パネルの前端部を支持するための鼻隠し、桁内樋部を閉蓋するための桁カバー、トレリスを設置するための回り縁および桟の前端部を支持するための桟支持部材を、固定可能に構成されていることが、好ましい。
【００１４】
この構成によれば、桁材の上部に、屋根パネルの他、トレリスや桟支持部材等のパーゴラ構成部材を、適宜設置することができ、バリエーション豊かなパーゴラを構成することができる。なお、屋根パネルとトレリスとの組み合わせや、屋根パネルと桟支持部材との組み合わせ等、パーゴラ構成部材を複合的に組み合わせることも可能である。
【００１５】
これらの場合、桁材と外壁との間に平行に且つ両梁材上に掛け渡した前枠を、更に備えると共に、外壁および前枠間にハーフ屋根パネルを設置可能に構成され、前枠は、ハーフ屋根パネルの前端部を支持可能に構成した支持板部と、前記ハーフ屋根パネルからの雨水を受けると共に支持板部により１の面を構成した枠内樋部とを有し、枠内樋部は、梁内樋部に連通していることが、好ましい。
【００１６】
この構成によれば、外壁および前枠間に、奥行きが半分のハーフ屋根パネルを設置することができると共に、ハーフ屋根パネルから流下した雨水を前枠の枠内樋部から梁材の梁内樋部に導くことができる。この場合も、下流側に位置する梁内樋部は、枠内樋部より低い位置に配設されているため、雨水を円滑に流下させることができる。
【００１７】
本発明のパーゴラは、上記したパーゴラの主構造材を備えたことを特徴とする。
【００１８】
本発明の他のパーゴラは、上記したパーゴラの主構造材と、ハーフ屋根パネルと、を備えたことを特徴とする。
【００１９】
これらの構成によれば、パーゴラに屋根パネルやハーフ屋根パネルを設けた場合でも、雨水の処理を適切に行うことができると共に、その際、パーゴラのデザインに悪影響を与えないように縦樋を設置することができる。
【発明の効果】
【００２０】
以上のように、本発明のパーゴラの主構造体およびパーゴラによれば、屋根パネルを設けた場合に、その雨水を桁内樋部から梁内樋部に円滑に流下させることができる。また、梁内樋部に連なる縦樋を外壁に沿わせて直線的に設けることができる。したがって、パーゴラ自体の意匠性を損なうことなく、雨水の処理を円滑且つ適切に行うことができる。
【発明を実施するための最良の形態】
【００２１】
以下、添付図面を参照して、本発明の一実施形態に係るパーゴラおよびその主構造体について説明する。このパーゴラは、建物の正面にガーデニング用の構造物として設置され、デッキ上において主構造体を骨組みすると共に、主構造体の上部の左寄り３／４にパネル屋根を、１／４に空間を設けて、構成されている。
【００２２】
図１ないし図３の姿図に示すように、実施形態のパーゴラ１Ａは、建物の外壁Ｗから前方に水平に延びる一対の梁材３，３と、一対の梁材３，３の前端部間に渡した桁材４と、桁材４を左右の両外端部で支持する一対の支柱５，５と、により主構造体２Ａが構成されている。一対の支柱５，５は、地表から立ち上がっており、また地表上には複数の床づか８に支持されるようにして広くデッキ９が設けられている。なお、梁材３、桁材４および支柱５は、いずれもアルミニウム等の形材で構成されている。
【００２３】
一方、外壁Ｗ、一対の梁材３，３および桁材４で構成されるパーゴラ１Ａの上部には、外壁Ｗと桁材４との間に片流れの屋根パネル１１が設置されている。すなわち、パーゴラ１Ａの上部は、左寄りの３／４がパネル屋根となっており、右寄りの１／４が開放されている。なお、図３中の符号１２は、前後縦列の複数の複数の床づか８を連結する連結バーであり、符号１３は、縦樋である。
【００２４】
図４に示すように、桁材４は、表面を木目模様に処理したアルミニウムの形材で構成され、下板部２１と、下板部２１の前端から直角に上方に延びる前板部２２と、下板部の後端から直角に上方に延びる後板部２３と、前板部２２および後板部２３の上端間を斜めに連結した上板部２４と、上板部２４の位置から前板部２２を延長した前立上げ板部２５と、上板部２４の後部から斜めに立ち上がった支持板部２６と、で一体に形成されている。上板部２４は、支持板部２６の基部の段部を境界にして前側傾斜部位２４ａと後側傾斜部位２４ｂと、を有している。
【００２５】
すなわち、下板部２１、前板部２２、後板部２３および上板部２４により桁材中空部２８が形成され、上板部２４の前側傾斜部位２４ａ、前立上げ板２５および支持板部２６により、横樋の機能を有する桁内樋部２９が形成されている。そして、支持板部２６の左右両端部には、桁内樋部２９の雨水を後述する各梁材３の梁内樋部４７に流下させる一対の桁・梁間排水開口３０が形成されている（図６参照）。
【００２６】
また、前立上げ板部２５の上部には、内向きに直角に屈曲した掛止片部２５ａが形成されると共に、支持板部２６の上部には、内向き直角に屈曲した厚肉の固定片部２６ａが形成されている。掛止片部２５ａと固定片部２６ａとは、同一水平面内に配設されており、これに取り付けられる屋根のタイプに応じて、掛止片部２５ａは屋根構成部材の掛止部位として使用され、固定片部２６ａは屋根構成部材の固定部位として使用される。
【００２７】
例えば、図５に示すように、桁材４に隣接する屋根別に、梁タイプ屋根および桟タイプ屋根では、掛止片部２５ａおよび固定片部２６ａ間に桁カバー３１が取り付けられるようになっている。桁カバー３１は、掛止片部２５ａに掛止される前部係止部３３と、前部係止部３３から水平に延びる樋閉止部３４と、樋閉止部３４の後端から下垂した下垂部３５と、で一体に形成されている。桁材４に対し桁カバー３１は、前部係止部３３で桁材４の掛止片部２５ａに掛止され、樋閉止部３４で桁材４の固定片部２６ａにビス止めされる。また、この状態で、下垂部３５は桁材４の後側傾斜部位２４ｂと僅かな間隙を存して対峙する共に、後板部２３と面一に配設される。
【００２８】
一方、桁材４に隣接してパネル屋根が設けられる場合には、後述する屋根パネルの鼻隠し７１が、桁材４の固定片部２６ａにビス止めされる。そして、桁材４に隣接してトレリス屋根が設けられる場合には、上記の桁カバー３１と回り縁３７が取り付けられるようになっている。回り縁３７は、横長中空形状の回り縁本体３８と、回り縁本体３８から前方に斜めに延びる固定片３９とで一体に形成され、この固定片３９の部分で桁材３の後側傾斜部位２４ｂにビス止めされる（図９参照）。
【００２９】
図６に示すように、梁材３は、内側に位置する縦長の支持中空部４２と、支持中空部４２の下端から外側に延長するように設けた水平片４３と、水平片４３の外端部から立ち上がった鉛直片４４とから成る梁材本体４１に、鉛直片４４の外側に位置して薄手の化粧カバー４５をビス止めして、構成されている。この場合、梁材本体４１の前端は桁材４の外端部に突き当てられる一方、化粧カバー４５の前端部は、桁材４の小口を覆うように桁材４の前面位置まで延在している。
【００３０】
梁材本体４１は、アルミニウムの形材で一体に形成されており、支持中空部４２、水平片４３および鉛直片４４で囲まれた空間には、上記の桁内樋部２９に連なる梁内樋部４７が形成されている。そして、梁材３の外壁側端部（後端部）には、梁内樋部４７を縦樋１３に接続するための縦樋接続口４８が形成され、この縦樋接続口４８には、下側から樋接続具４９が取り付けられている。また、梁材３の後端小口は、シーラー（図示省略）を挟んで止水板５０が取り付けられ、梁内樋部４７の端部が水密に閉塞されると共に、止水板５０により梁材３の後端が外壁に固定（２本のコーチねじ）されている。（図４参照）。
【００３１】
化粧カバー４５は、桁材４と同様に表面を木目模様に処理したアルミニウムの形材で構成され、且つその木目模様は桁材４と統一したデザインとなっている。また、化粧カバー４５は、支持中空部４２を隠すように桁材４と同一の高さを有し、その前端小口には、木目模様の小口キャップ（図示省略）が装着されている。これにより、桁材４および梁材３が木目模様の統一したデザインに仕上げられ、且つ両者のコーナー部が４５°接合のようにスッキリしたデザインとなっている。
【００３２】
一方、図１、図４および図６に示すように、屋根パネル１１は、いずれもアルミニウムの形材で形成された前端部の鼻隠し６１、外壁Ｗに固定された後端部の垂木掛け６２および両側枠６３，６３を四周が枠組みして、主構造部が構成されている。鼻隠し６１および垂木掛け６２間には、複数（本実施形態では２本）の垂木材６４が側枠６３に平行に掛け渡されている。また、側枠６３と垂木材６４と間、および隣接する垂木材６４，６４間には、鼻隠し６１および垂木掛け６２間に渡すように短冊状のパネル（屋根葺き材）６５が装着されている。なお、図１中の符号６６は、母屋である。
【００３３】
この場合、鼻隠し６１は、その下部を桁材４の支持板部２６の基部に突き当てた状態で、上部を桁材４の固定片部２６ａにビス止めされ、また垂木掛け６２はコーチねじ６７により外壁Ｗに固定されている。そして、屋根パネル１１の雨水を受けるべく、鼻隠し６１の前端は桁材４の桁内樋部２９の直上部に臨んでいる。同様に、一方の側枠６３は梁材３の直上部に位置しており、強風等により側枠６３から側方から滴下する雨水を梁材３の梁内樋部４７で直接受け得るようになっている（図６参照）。
【００３４】
このように構成された第１実施形態のパーゴラ１Ａでは、屋根パネル１１に降った雨水は、桁材４の桁内樋部２９に流れ込み、桁内樋部２９の両端部の桁・梁間排水開口３０から各梁内樋部４７に流下する。さらに、雨水は梁内樋部４７を外壁側に流れ、後端部の縦樋接続口４８から縦樋１３に導かれる。この場合、桁内樋部２９は、その底板である上板部２４が傾斜し、且つ桁・梁間排水開口３０と梁内樋部４７との間に十分な落差があるため、雨水を、桁・梁間排水開口３０を介して桁内樋部２９から梁内樋部４７に円滑に流下させることができる。また、梁内樋部２９により、雨水を外壁側端部まで導くようにしているため、縦樋１３を外壁Ｗに沿わせて設けることができ、縦樋１３の取り回しが容易になると共に意匠上も好ましいものとなる。
【００３５】
図７および図８は、第１実施形態の変形例に係るパーゴラ１Ａａを表している。この変形例では、屋根パネル１１に隣接する開放部分に屋根用トレリス１４が設置されている。この場合には、両梁材３，３間において、外壁Ｗに固定するようにして梁掛け材６が設けられ、またこの梁掛け材６と桁材４との間に複数本の補助梁材７が掛け渡されている。
【００３６】
一方、図７および図９に示すように、屋根用トレリス１４は、多数の斜格子７２を交差させたトレリス本体７１と、トレリス本体７１の前後を支持する一対の周り縁３７とから成り、桁材４および梁掛け材６間において、梁材３と補助梁材７との間に装着されている。トレリス本体７１は、多数の斜格子７２を回動自在に連結したものであり、全体として伸縮自在に構成され両周り縁３７，３７間の取付け空間の矩形形状に合わせて伸展される。すなわち、トレリス本体７１は、その四辺をそれぞれ両周り縁３７，３７および梁材３の支持中空部４２および補助梁材７に支持固定されている。なお、屋根パネル１１の下側にも、屋根用トレリス１４を設置することが、好ましい。また、各斜格子７２は、木材あるいは木材のチップを樹脂で固めた合成木材等で構成することが、好ましい。
【００３７】
次に、図１０ないし図１２を参照して、第２実施形態のパーゴラ１Ｂについて説明する。このパーゴラ１Ｂは、建物の外壁Ｗから前方に水平に延びる一対の梁材３，３と、一対の梁材３，３の前端部間に渡した桁材４と、桁材４を左右の両外端部で支持する一対の支柱５，５と、外壁Ｗと桁材４の中間において一対の梁材３，３間に掛け渡した前枠１０と、により主構造体２Ｂが構成されている。また、一対の梁材３，３間において、梁掛け材６が外壁Ｗに固定されている。一対の支柱５，５は、地表から立ち上がっており、また地表上には複数の床づか８に支持されるようにして広くデッキ９が設けられている。なお、梁材２、桁材３、支柱４、梁掛け材６および前枠１０は、いずれもアルミニウム等の形材で構成されている。
【００３８】
一方、外壁Ｗ、一対の梁材３，３および桁材４で構成されるパーゴラ１Ｂの上部には、外壁Ｗと前枠１０との間に片流れのハーフ屋根パネル１６が設置され、また梁掛け材６と桁材４との間には、複数本（実施形態では３本）の補助梁材７が掛け渡されている。すなわち、パーゴラ１Ｂの上部は、外壁Ｗ側の半部がパネル屋根となっており、桁材４側の半部が補助梁材７による棚様の屋根となっている。ハーフパネル屋根１６は、第１実施形態のパネル屋根１１と同一の形態を有しているが、この場合には、一対の梁材３，３間に開放部を設けることなく配設されている。
【００３９】
図１３に示すように、前枠１０は、ハーフ屋根パネル１６の前部を支持するものであり、ベース片５１と、ベース片５１の前端に立ち上がった鉛直起立片５２と、ベース片５１の後端寄りの位置から上記桁材４の支持板部２６と同様に斜めに立ち上げた傾斜起立片５３と、で一体に形成されている。また、これらベース片５１、鉛直起立片５２および傾斜起立片５３によりで囲まれた空間には、上記の桁内樋部２９と同様の枠内樋部５５が形成されている。この枠内樋部５５を構成するベース片５１の両外端部は切り欠かれており、この切欠き部分により、雨水を上記の梁内樋部４７に流下させる枠・梁間排水開口５６が形成されている（図４（ａ）参照）。そして、傾斜起立片５３の上部には、内向き直角に屈曲した厚肉の固定片部５３ａが形成されており、この固定片部５３ａにハーフ屋根パネル１６の鼻隠し６１がビス止めされている。
【００４０】
このように構成された第２実施形態のパーゴラ１Ｂでは、ハーフ屋根パネル１６に降った雨水は、前枠１０の枠内樋部５５に流れ込み、枠内樋部５５の両端部の枠・梁間排水開口５６から各梁内樋部４７に流下する。さらに、雨水は梁内樋部４７を外壁側に流れ、後端部の縦樋接続口４８から縦樋１３に導かれる。この場合、枠・梁間排水開口５６と梁内樋部４７との間に十分な落差があるため、雨水を、枠・梁間排水開口５６を介して枠内樋部５５から梁内樋部４７に円滑に流下させることができる。また、この場合も、縦樋１３を外壁Ｗに沿わせて設けることができ、縦樋１３の取り回しが容易になると共に意匠上も好ましいものとなる。
【００４１】
図１４および図１５は、第２実施形態の変形例に係るパーゴラ１Ｂａを表している。この変形例では、パーゴラ１Ｂａの上部において、桁材４側半部がトレリス屋根となっている。また、パーゴラ１Ｂａの正面には、左右の支柱５，５間に２本の短尺の補助支柱１７，１７が配設されると共に、支柱５および補助支柱１７に支持されるようにして手摺１８が設けられている。そして、支柱５、補助支柱１７および手摺１８には、腰高の３枚の面材用トレリス１９が組み込まれている。また、両梁材３と３本の補助梁材７との間に位置して、４枚の屋根用トレリス１４が配設されている。各屋根用トレリス１４は、第１実施形態の変形例のものと同様の形態を有しているため、ここでは説明を省略する。
【００４２】
図１５および図１６に示すように、各面材用トレリス１９は、いずれもアルミニウムの形材で形成した上枠８２、下枠８３および両縦枠８４，８４を枠組みしたトレリス枠体８１に、多数の斜格子８６から成るトレリス本体（ラチス）８５を装着して、構成されている。トレリス本体８５は、多数の斜格子８６を相互に回動自在に連結したものであり、全体として伸縮自在に構成されトレリス枠体８１の矩形形状に合わせて伸展される。またこの場合も、各斜格子８６は、木材あるいは木材のチップを樹脂で固めた合成木材等で構成することが、好ましい。
【図面の簡単な説明】
【００４３】
【図１】本発明の一実施形態に係るパーゴラの平面図である。
【図２】実施形態に係るパーゴラの正面図である。
【図３】実施形態に係るパーゴラの側面図である。
【図４】実施形態に係るパーゴラの拡大平面図（ａ）、拡大裁断側面図（ｂ）である。
【図５】桁材を基本フレームとしてその応用形態を表したシステム図である。
【図６】梁材廻りの拡大断面図である。
【図７】第１実施形態の変形例に係るパーゴラの平面図である。
【図８】第１実施形態の変形例に係るパーゴラの側面図である。
【図９】梁材および補助梁材を含む屋根用トレリス廻りの拡大断面図である。
【図１０】第２実施形態のパーゴラの平面図である。
【図１１】第２実施形態のパーゴラの正面図である。
【図１２】第２実施形態のパーゴラの側面図である。
【図１３】梁材廻りの拡大断面図である。
【図１４】第２実施形態の変形例に係るパーゴラの平面図である。
【図１５】第２実施形態の変形例に係るパーゴラの正面図である。
【図１６】面材用トレリスの正面図である。
【符号の説明】
【００４４】
１Ａ，１Ａａ，１ｂ，１Ｂａ  パーゴラ、２Ａ，２Ｂ  主構造材、３  梁材、４  桁材、５  支柱、６  梁掛け材、７  補助梁材、１０  前枠、１１  屋根パネル、１３  縦樋、１４  屋根用トレリス、１６  ハープ屋根パネル、２４  上板部、２５  前立上げ板部、２５ａ  掛止片部、２６  支持板部、２６ａ  固定片部、２９  桁内樋部、３０  桁・梁間排水開口、３１  桁カバー、３７  回り縁、４５  化粧カバー、４７  梁内樋部、４８  縦樋接続口、４９  樋接続具、５０  止水板、５３  傾斜起立片、５３ａ  固定片部、５５  枠内樋部、５６枠・梁間排水開口、６１  鼻隠し
【図１】
2005232733.tif 000003
【図２】
2005232733.tif 000004
【図３】
2005232733.tif 000005
【図４】
2005232733.tif 000006
【図５】
2005232733.tif 000007
【図６】
2005232733.tif 000008
【図７】
2005232733.tif 000009
【図８】
2005232733.tif 000010
【図９】
2005232733.tif 000011
【図１０】
2005232733.tif 000012
【図１１】
2005232733.tif 000013
【図１２】
2005232733.tif 000014
【図１３】
2005232733.tif 000015
【図１４】
2005232733.tif 000016
【図１５】
2005232733.tif 000017
【図１６】
2005232733.tif 000018